(57)【要約】【課題】本発明の目的は、前方に存在する複数の障害物を識別して、識別された複数の障害物の距離、軌跡、および動きを検知する障害物検知装置およびその検知方法を提供することである。【解決手段】複数の障害物の距離を検知する測距手段４と、画像を取得する画像取得手段２と、画像から複数の障害物を検知する画像検知手段３ａと、検知された複数の障害物を識別する画像識別手段３ｂと、制御および演算を行う制御手段５と、を有する障害物検知装置１であって、識別された複数の障害物に、測距手段４が検知した距離を対応させる距離演算手段３ｃを有することを特徴とする障害物検知装置１。【選択図】図１
2015019689.tif 000002
【特許請求の範囲】
【請求項１】
複数の障害物の距離を検知する測距手段と、
画像を取得する画像取得手段と、
前記画像から前記複数の障害物を検知する画像検知手段と、
検知された前記複数の障害物を識別する画像識別手段と、
制御および演算を行う制御手段と、
を有する障害物検知装置であって、
識別された前記複数の障害物に、前記測距手段が検知した前記距離を対応させる距離演算手段を有することを特徴とする障害物検知装置。
【請求項２】
前記複数の障害物が人の頭部であることを特徴とする請求項１に記載の障害物検知装置。
【請求項３】
識別された前記人の頭部のサイズを比較する手段を有することを特徴とする請求項２に記載の障害物検知装置。
【請求項４】
前記サイズを比較する手段が、前記サイズが大きくなる前記人の頭部を識別することを特徴とする請求項３に記載の障害物検知装置。
【請求項５】
前記画像検知手段が、前記人の頭部として人の顔を検知することを特徴とする請求項２から請求項４のいずれか１項に記載の障害物検知装置。
【請求項６】
前記測距手段が、電磁波、または超音波を出射して前記複数の障害物の距離を検知することを特徴とする請求項１から請求項５のいずれか１項に記載の障害物検知装置。
【請求項７】
前記測距手段で検知された前記距離が、所定の値以下である際に、警報を発することを特徴とする請求項１から請求項６のいずれか１項に記載の障害物検知装置。
【請求項８】
前記複数の障害物の動きを予測して、前記複数の障害物が所定の範囲内に入ると予測されるとき、警報を発することを特徴とする請求項１から請求項７のいずれか１項に記載の障害物検知装置。
【請求項９】
複数の障害物の距離を検知する測距手段と、
画像を取得する画像取得手段と、
前記画像から前記複数の障害物を検知する画像検知手段と、
検知された前記複数の障害物を識別する画像識別手段と、
制御および演算を行う制御手段と、
を有する障害物検知装置の検知方法であって、
識別された前記複数の障害物に、前記測距手段が検知した前記距離を対応させる距離演算手段を有することを特徴とする障害物検知装置の検知方法。
【請求項１０】
前記複数の障害物が人の頭部であることを特徴とする請求項９に記載の障害物検知装置の検知方法。
【請求項１１】
識別された前記人の頭部のサイズを比較する手段を有することを特徴とする請求項１０に記載の障害物検知装置の検知方法。
【請求項１２】
前記サイズを比較する手段が、前記サイズが大きくなる前記人の頭部を識別することを特徴とする請求項１１に記載の障害物検知装置の検知方法。
【請求項１３】
前記画像検知手段が、前記人の頭部として人の顔を検知することを特徴とする請求項１０から請求項１２のいずれか１項に記載の障害物検知装置の検知方法。
【請求項１４】
前記測距手段が、電磁波、または超音波を出射して前記複数の障害物の距離を検知することを特徴とする請求項９から請求項１３のいずれか１項に記載の障害物検知装置の検知方法。
【請求項１５】
前記測距手段で検知された前記距離が、所定の値以下である際に、警報を発することを特徴とする請求項９から請求項１４のいずれか１項に記載の障害物検知装置の検知方法。
【請求項１６】
前記複数の障害物の動きを予測して、前記複数の障害物が所定の範囲内に入ると予測されるとき、警報を発することを特徴とする請求項９から請求項１５のいずれか１項に記載の障害物検知装置の検知方法。
【発明の詳細な説明】
【技術分野】
【０００１】
本発明は、前方の障害物を検知することに係り、特に、高齢者や、障害者などに接近する複数の人を検知する障害物検知装置とその検知方法に関する。
【背景技術】
【０００２】
従来から、障害物検知装置には、赤外線センサなどの障害物検知センサが備えられ、この障害物検知センサが、障害物検知装置の前方にある障害物を検知する。
【０００３】
また、従来から、顔認識技術の実用化・商品化が進められている。公知の顔認識技術によれば、画像から色々な方向を向いた複数の顔の検知が可能であり、検知された顔の識別も可能である。
【０００４】
図６は、特許文献１に開示される障害物検知装置の説明図である。特許文献１に開示される従来例の障害物検知装置２０１は、図６に示すように、車体２１２、ハンドル２１３、車輪２１４、および障害物検知センサ２０４ａ、２０４ｂ、２０４ｃなどから構成される歩行補助車２１１である。
【０００５】
障害物検知センサ２０４ａ、２０４ｂ、２０４ｃは、赤外線距離センサである。障害物検知センサ２０４ａは、歩行補助車２１１の上方の位置に取り付けられ、障害物検知センサ２０４ｂ、２０４ｃは、障害物検知センサ２０４ａより低い位置に取り付けられる。障害物検知センサ２０４ａ、２０４ｂ、２０４ｃは、前方下向きに光スポットを照射し、歩行補助車２１１の先端から０．５〜２．０ｍの範囲内の位置を照射するように設けられる。
【０００６】
歩行補助車２１１が進行して、光スポットが照射される位置に段差や障害物が現れると、障害物検知センサ２０４ａ、２０４ｂ、２０４ｃは、段差や障害物を検知し検知信号を出力する。そして、段差や障害物を検知したことをユーザに知らせるために、音声、光、あるいは音響などの警報が発せられる。
【０００７】
特許文献２には、公知の顔認識技術（カボール・ウェーブレット変換＋グラフマッチング）を用いて、画像から人の顔を検知する撮影装置が開示されている。そして、検知された人の顔を含むエリアの輝度を算出し、適切な露光条件で撮影することを可能にしている。
【先行技術文献】
【特許文献】
【０００８】
【特許文献１】特開２０１１−６７３２３号公報
【特許文献２】特開２００３−１０７５５５号公報
【発明の概要】
【発明が解決しようとする課題】
【０００９】
特許文献１に開示される従来例の障害物検知装置２０１は、光源からの赤外線の集束光を前方下向きに照射し、反射光の光スポットの重心位置を検知する三角測量を用いて障害物などを検知するものである。光源からの赤外線の集束光は特定の方向に照射されるため、従来例の障害物検知装置２０１は、この方向にある障害物などしか検知することができないと共に、障害物などが複数ある場合に、検知できない障害物などが生じるという課題があった。
【００１０】
従来例の障害物検知装置２０１は、光源からの赤外線の集束光を前方下向きに照射するため、路面上などにある障害物などしか検知することができないという課題があった。
【００１１】
特許文献２に開示される従来例の撮影装置は、公知の顔認識技術（カボール・ウェーブレット変換＋グラフマッチング）を用いて、画像から人の顔を検知する。従来例の障害物検知装置２０１は、反射光を用いて障害物などを検知するものであり、障害物などを識別することはできない。顔認識技術（カボール・ウェーブレット変換＋グラフマッチング）は、画像中の人の顔を識別することが可能である。
【００１２】
ところが、障害物検知装置に、特許文献２に開示される従来例の撮影装置を搭載しただけでは、識別された複数の人の顔である障害物が検知されるだけである。そのため、識別された複数の人である障害物の位置や動きを検知することができないという課題があった。
【００１３】
本発明の目的は、このような課題を顧みてなされたものであり、前方に存在する複数の障害物を識別して、識別された複数の障害物の距離、軌跡、および動きを検知する障害物検知装置およびその検知方法を提供することである。
【課題を解決するための手段】
【００１４】
本発明の障害物検知装置は、複数の障害物の距離を検知する測距手段と、画像を取得する画像取得手段と、前記画像から前記複数の障害物を検知する画像検知手段と、検知された前記複数の障害物を識別する画像識別手段と、制御および演算を行う制御手段と、を有する障害物検知装置であって、識別された前記複数の障害物に、前記測距手段が検知した前記距離を対応させる距離演算手段を有することを特徴とする。
【００１５】
本発明の障害物検知装置によれば、前方の画像を取得することができ、この画像から複数の障害物を検知すると共に、識別することができる。
【００１６】
そして、距離演算手段によって、測距手段により検知された距離を、識別された複数の障害物に対応させることができ、識別された複数の障害物の距離を検知することができる。
【００１７】
そして、制御手段が、識別された複数の障害物の距離を時系列に検知するように測距手段を制御し、識別された複数の障害物の軌跡を算出する演算を行うと共に、識別された複数の障害物の速度および加速度を算出する演算を行う。よって、本発明の障害物検知装置によれば、識別された複数の障害物の軌跡、速度、および加速度を検知できると共に、軌跡、速度、および加速度から識別された複数の障害物の動きを予測、すなわち検知することができる。
【００１８】
よって、本発明によれば、前方に存在する複数の障害物を識別して、識別された複数の障害物の距離、軌跡、および動きを検知する障害物検知装置を提供することができる。
【００１９】
前記複数の障害物が人の頭部であることが好ましい。このような態様であれば、前方に存在する複数の人の頭部を識別して、識別された複数の人の頭部の距離、軌跡、および動きを検知することができる。
【００２０】
障害物検知装置が、識別された前記人の頭部のサイズを比較する手段を有することが好ましい。このように人の頭部のサイズを比較することが可能であれば、障害物検知装置に接近して来るサイズの大きくなる人の頭部を抽出することができる。そのため、接近して来る人にのみに注目することが可能となり、演算などの処理を簡便にすることができる。
【００２１】
前記サイズを比較する手段が、前記サイズが大きくなる前記人の頭部を識別することが好ましい。このような態様であれば、接近して来る人にのみに注目することが可能となり、演算などの処理を簡便にすることができる。
【００２２】
前記画像検知手段が、前記人の頭部として人の顔を検知することが好ましい。接近して来る人は、障害物検知装置にほぼ顔を向けて接近する。すなわち、人の頭部として人の顔を検知することは、障害物検知装置に接近する人を検知することである。そのため、接近して来る人にのみに注目することが可能となり、演算などの処理を簡便にすることができる。
【００２３】
前記測距手段が、電磁波、または超音波を出射して前記複数の障害物の距離を検知することが好ましい。このような態様であれば、複数の障害物の距離を検知することが可能である。
【００２４】
前記測距手段で検知された前記距離が、所定の値以下である際に、警報を発することが好ましい。このような態様であれば、障害物検知装置を保持している人などに注意喚起をすることなどが可能である。また、障害物検知装置を保持している人が、複数の障害物を避けて移動することを可能にする。
【００２５】
障害物検知装置が、前記複数の障害物の動きを予測して、前記複数の障害物が所定の範囲内に入ると予測されるとき、警報を発することが好ましい。このような態様であれば、障害物検知装置を保持している人などに注意喚起をすることなどが可能である。また、障害物検知装置を保持している人が、複数の障害物の位置を事前に予測できるので、障害物を避けて移動することをより容易にする。
【００２６】
本発明の障害物検知装置の検知方法は、複数の障害物の距離を検知する測距手段と、画像を取得する画像取得手段と、前記画像から前記複数の障害物を検知する画像検知手段と、検知された前記複数の障害物を識別する画像識別手段と、制御および演算を行う制御手段と、を有する障害物検知装置の検知方法であって、識別された前記複数の障害物に、前記測距手段が検知した前記距離を対応させる距離演算手段を有することを特徴とする。
【００２７】
本発明の障害物検知装置の検知方法によれば、前方の画像を取得することができ、この画像から複数の障害物を検知すると共に、識別することができる。
【００２８】
そして、距離演算手段によって、測距手段により検知された距離を、識別された複数の障害物に対応させることができ、識別された複数の障害物の距離を検知することができる。
【００２９】
そして、制御手段が、識別された複数の障害物の距離を時系列に検知するように測距手段を制御し、識別された複数の障害物の軌跡を算出する演算を行うと共に、識別された複数の障害物の速度および加速度を算出する演算を行う。よって、本発明の障害物検知装置の検知方法によれば、識別された複数の障害物の軌跡、速度、および加速度を検知できると共に、軌跡、速度、および加速度から識別された複数の障害物の動きを予測、すなわち検知することができる。
【００３０】
よって、本発明によれば、前方に存在する複数の障害物を識別して、識別された複数の障害物の距離、軌跡、および動きを検知する障害物検知装置の検知方法を提供することができる。
【００３１】
前記複数の障害物が人の頭部であることが好ましい。このような態様であれば、前方に存在する複数の人の頭部を識別して、識別された複数の人の頭部の距離、軌跡、および動きを検知することができる。
【００３２】
障害物検知装置の検知方法が、識別された前記人の頭部のサイズを比較する手段を有することが好ましい。このように人の頭部のサイズを比較することが可能であれば、障害物検知装置に接近して来るサイズの大きくなる人の頭部を抽出することができる。そのため、接近して来る人にのみに注目することが可能となり、演算などの処理を簡便にすることができる。
【００３３】
前記サイズを比較する手段が、前記サイズが大きくなる前記人の頭部を識別することが好ましい。このような態様であれば、接近して来る人にのみに注目することが可能となり、演算などの処理を簡便にすることができる。
【００３４】
前記画像検知手段が、前記人の頭部として人の顔を検知することが好ましい。接近して来る人は、障害物検知装置にほぼ顔を向けて接近する。すなわち、人の頭部として人の顔を検知することは、障害物検知装置に接近する人を検知することである。そのため、接近して来る人にのみに注目することが可能となり、演算などの処理を簡便にすることができる。
【００３５】
前記測距手段が、電磁波、または超音波を出射して前記複数の障害物の距離を検知することが好ましい。このような態様であれば、複数の障害物の距離を検知することが可能である。
【００３６】
前記測距手段で検知された前記距離が、所定の値以下である際に、警報を発することが好ましい。このような態様であれば、障害物検知装置を保持している人などに注意喚起をすることなどが可能である。また、障害物検知装置を保持している人が、複数の障害物を避けて移動することを可能にする。
【００３７】
障害物検知装置の検知方法が、前記複数の障害物の動きを予測して、前記複数の障害物が所定の範囲内に入ると予測されるとき、警報を発することが好ましい。このような態様であれば、障害物検知装置を保持している人などに注意喚起をすることなどが可能である。また、障害物検知装置を保持している人が、複数の障害物の位置を事前に予測できるので、障害物を避けて移動することをより容易にする。
【発明の効果】
【００３８】
本発明によれば、前方に存在する複数の障害物を識別して、識別された複数の障害物の距離、軌跡、および動きを検知する障害物検知装置およびその検知方法を提供することができる。
【図面の簡単な説明】
【００３９】
【図１】第１の実施形態に係る障害物検知装置の構成図である。
【図２】第１の実施形態に係る測距手段の説明図である。
【図３】第１の実施形態に係るスキャナーの出射範囲の分割例である。
【図４】第２の実施形態に係る障害物検知装置の構成図である。
【図５】第２の実施形態に係るスキャナーの出射範囲の分割例である。
【図６】特許文献１に開示される障害物検知装置の説明図である。
【発明を実施するための形態】
【００４０】
以下、本発明の第１の実施形態の障害物検知装置とその検知方法について図面を用いて詳細に説明する。なお、各図面の寸法は適宜変更して示している。
【００４１】
＜第１の実施形態＞
図１は、第１の実施形態に係る障害物検知装置の構成図である。本実施形態に係る障害物検知装置１は、図１に示すように、画像取得手段２、記憶手段３、測距手段４、制御手段５、および警報手段６を有して構成される。
【００４２】
本実施形態に係る画像取得手段２は、２次元のデジタル画像を取得するデジタルカメラなどであり、本実施形態に係る記憶手段３は、ランダムアクセスメモリ（Ｒａｎｄｏｍ  Ａｃｃｅｓｓ  Ｍｅｍｏｒｙ）などの半導体メモリである。本実施形態に係る制御手段５は、マイクロプロセッサ（Ｍｉｃｒｏｐｒｏｃｅｓｓｏｒ）などで構成される。
【００４３】
記憶手段３には、画像検知手段３ａ、画像識別手段３ｂ、および距離演算手段３ｃに関連する情報などが保存されている。この画像検知手段３ａおよび画像識別手段３ｂは、たとえば公知の顔認識技術（カボール・ウェーブレット変換＋グラフマッチング）を用いて構成される。そして、制御手段５が、記憶手段３を制御して、すなわち画像取得手段２が取得したデジタル画像から、画像検知手段３ａを用いて複数の人の顔を検知し、画像識別手段３ｂを用いて検知した複数の人の顔を識別する。
【００４４】
図２は、第１の実施形態に係る測距手段の説明図である。本実施形態に係る測距手段４は、図２に示すように、スキャナー４ａ、出射器４ｂ、および受信器４ｃを有して構成される。出射器４ｂは、レーザーダイオード（Ｌａｓｅｒ  Ｄｉｏｄｅ）や、発光ダイオード（Ｌｉｇｈｔ  Ｅｍｉｔｔｉｎｇ  Ｄｉｏｄｅ）などで構成することができる。本実施形態の出射器４ｂは、赤外線を出射するレーザーダイオードである。本実施形態に係る受信器４ｃは、フォトダイード（Ｐｈｏｔｏｄｉｏｄｅ）などで構成される。
【００４５】
図２に示すように、制御手段５が、出射器４ｂに赤外線を出射するように制御する。出射器４ｂから出射された赤外線７ａは、スキャナー４ａによって２次元に走査されて前方に出射される。
【００４６】
２次元に走査されてスキャナー４ａから前方に出射された赤外線７ｂは、図２に示すように、測距手段４の前方に存在する人の顔などの障害物８ａ、８ｂによって反射される。そして、反射された赤外線７ｃ、７ｃは、スキャナー４ａを介して受信器４ｃに受光される。
【００４７】
スキャナー４ａの走査条件などは、図１に図示する記憶手段３に保存されており、この保存された情報に基づいて制御手段５が、スキャナー４ａ、出射器４ｂ、および受信器４ｃを制御する。制御手段５は、出射器４ｂには所定の時間間隔で赤外線７ａの出射を制御し、スキャナー４ａに出射および受光を行わせる。
【００４８】
前方に人の顔などの障害物８が存在すると、赤外線７ｂは障害物８によって反射され、障害物８から反射する赤外線７ｃが生じる。この反射された赤外線７ｃは、スキャナー４ａを介して、赤外線７ａの出射時刻に対してΔｔ時間の遅れで受信器４ｃに受光される。制御手段５は、この遅れ時間Δｔと光速度とを用いて演算し、前方に存在する障害物８と、障害物検知装置１（図１に図示）との距離を算出する。
【００４９】
本実施形態においては、障害物の測距方法を光の飛行時間を測定する方式としたが、これに限定されるものではない。光位置センサ（ＰＳＤ：Ｐｏｓｉｔｉｏｎ  Ｓｅｎｓｉｔｉｖｅ  Ｄｅｔｅｃｔｏｒ）を用いて三角測量方式で測距することも可能である。
【００５０】
本実施形態においては、赤外線を用いて測距するとしたが、これに限定されるものではない。赤外線以外の光などの電磁波を用いることも可能である。また、人の耳に聞こえない超音波を用いることにより指向性を持たせたスピーカーを使用して、測距することも可能である。この際には、出射器はスピーカーなどであり、受信器はマイクロフォンなどである。
【００５１】
図３は、第１の実施形態に係るスキャナーの出射範囲の分割例である。図２に図示するスキャナー４ａの出射範囲が、図３に示すように例えばＫ１〜Ｋ２０に分割される。出射範囲が分割された各部分を、以下コマと呼ぶ。そして、スキャナー４ａは、各コマの中心に向けて赤外線７ｂを出射し、Ｋ１〜Ｋ２０のコマへの出射を所定の順序で行う、すなわち走査する。そして、制御手段５は、この走査を繰り返すように制御し、移動する障害物８の距離（位置）、速度、加速度、および軌跡を時系列に演算して算出する。本実施形態では、各コマで赤外線７ｂを出射すると共に人の顔などの障害物８から反射する赤外線７ｃを受光する。そして、各コマにおいて、その前方に存在する人の顔などの障害物８の距離が測定され、各コマの距離とされる。
【００５２】
本実施形態において、たとえば１０メートル（ｍ）前方の障害物８を対象とした場合においても、光速度はおよそ３０万キロメートル毎秒であるので、障害物検知装置１と障害物８との間の往復に要する時間は、およそ６．７×１０−８秒である。そのため、出射器４ｂから赤外線７ａを出射する時間間隔は十分に小さく、および障害物８の距離を算出するためのコマ数は十分に多く設けることができるので、本実施形態によれば、複数の障害物８と障害物検知装置１との距離を精度よく算出することができる。
【００５３】
画像取得手段２が取得するデジタル画像内の障害物８の像は、図１および図２に示すように、障害物８で反射する太陽光などが、障害物８から障害物検知装置１に向かう方位に進行した後に結像して得られる。障害物検知装置１と障害物８の距離は、障害物検知装置１（スキャナー４ａ）から障害物８の方位に赤外線７ｂが出射されて測距される。そのため、デジタル画像内の障害物８の方位と、障害物８の距離に対応する赤外線７ｂの出射される方位とは共に、障害物８が遠方にある場合に方位角度が小さく、障害物８が近くにある場合に方位角度は大きくなる。そして、本実施形態においては、図３に図示する出射範囲、すなわちＫ１〜Ｋ２０のコマからなる範囲と、画像取得手段２が取得するデジタル画像の範囲とを一致するように設けられる。そして、本実施形態においては、制御手段５が、距離演算手段３ｃを用いて、デジタル画像内の複数の障害物８に、複数の障害物８のそれぞれが重なるコマの距離を対応させる、すなわち複数の障害物８のそれぞれの距離として算出する。そして、障害物８が複数のコマに跨って重なる際は、障害物８の距離は、例えばそれらの距離の平均値とする。なお、デジタル画像内の複数の障害物８の像と、複数の障害物８のそれぞれの距離とは同一時刻に得られたものであり、時系列的に対応される。
【００５４】
本実施形態においては、赤外線７ｂの出射と、障害物８から反射する赤外線７ｃの受光とを、同一のコマで行うとしたが、これに限定されるものではない。異なるコマで、赤外線７ｂの出射と、赤外線７ｃの受光を行うも可能であり、この際には、各コマに対応する距離と、デジタル画像内の複数の障害物８の像とを、適切に対応させる必要がある。
【００５５】
本実施形態に係る障害物検知装置１には、図示していないが、液晶ディスプレイなどの表示部が設けられ、この表示部に画像取得手段２が取得したデジタル画像と、スキャナー４ａの出射範囲とを重ねて表示することができる。そして、デジタルカメラなどの焦点距離を変更して障害物８の検知範囲を変更する際に、それに対応して測距手段４の出射範囲が変更される。その際、表示部にデジタル画像と出射範囲とを重ねて表示し、デジタル画像に対して適切なコマ数を選択することを可能にしている。
【００５６】
画像取得手段２は、デジタル画像を時系列に取得するので、表示部には時系列に変化するデジタル画像が表示される。そして、時系列に変化するデジタル画像に対応して、測距手段４の出射範囲の各コマには、コマに対応する距離が割り当てられる。このようにして、２次元のデジタル画像と、２次元に配置されるコマに対応する距離とが、時系列に対応させられる。そして、画像検知手段３ａと画像識別手段３ｂを用いて、２次元のデジタル画像から、複数の人の顔を検知すると共に識別して、それぞれ距離が割り当てられる。
【００５７】
障害物８の３次元の位置、すなわち３次元座標は、スキャナー４ａから赤外線７ｂが出射されるコマの方位と、測距手段４を用いて測定される障害物８と障害物検知装置１（スキャナー４ａ）との距離、すなわちコマの距離から求められる。そして、障害物８の３次元座標に存在する時刻は、赤外線７ａが出射器４ｂから出射される時刻と、赤外線７ｃが受信器４ｃで受光される時刻との平均値と定義する。このようにして、障害物８が、時刻（ｔ）に存在する３次元座標（ｘ、ｙ、ｚ）、すなわち障害物８の位置である座標(ｘ、ｙ、ｚ、ｔ)が算出される。
【００５８】
そして、各コマへの赤外線７ｂの出射と走査を繰り返すことにより、障害物８に対する複数の座標(ｘ、ｙ、ｚ、ｔ)を算出することにより、障害物８の軌跡が算出できる。また、連続する２つの座標(ｘ、ｙ、ｚ、ｔ)から障害物８の速度が算出できる。連続する少なくとも３つの座標(ｘ、ｙ、ｚ、ｔ)から障害物８の加速度が算出できる。
【００５９】
本実施形態における障害物８は、人の顔であり、本実施形態における画像検知手段３ａおよび画像識別手段３ｂは、たとえば公知の顔認識技術（カボール・ウェーブレット変換＋グラフマッチング）を用いて構成される。そして、カボール・ウェーブレット変換＋グラフマッチングは、顔器官上の特徴などを捉えて検知し、人の顔の検知および識別は可能である。
【００６０】
よって、本実施形態によれば、障害物検知装置１の前方に存在する複数の人の顔を識別して、この識別した人の顔に係る距離、座標(ｘ、ｙ、ｚ、ｔ)、軌跡、速度、および加速度を算出することができる。
【００６１】
すなわち、本実施形態においては、前方に存在する複数の人の顔が識別されて特定されている。そして、識別されて特定された複数の人の顔に対して、座標(ｘ、ｙ、ｚ、ｔ)、軌跡、速度、および加速度が算出される。よって、前方に存在する複数の人の顔のそれぞれに対して、色々なパターンでシュミレーションすることにより、それぞれの動きを予想して検知することができる。
【００６２】
よって、本発明によれば、前方に存在する複数の人の顔を識別して、識別された複数の人の顔の距離、軌跡、および動きを検知する障害物検知装置を提供することができる。
【００６３】
そのため、本実施形態によれば、前方に存在する複数の人の顔のうち、障害物検知装置１から所定の距離以下になったものが発生した際、音声、光、あるいは音響などの警報が発する処理を行わせることができる。
【００６４】
また、本実施形態によれば、障害物検知装置１に対する前方に存在する複数の人の顔の軌跡を予想して、軌跡が所定の範囲内に入ると予想されるとき、音声、光、あるいは音響などの警報が発する処理を行わせることができる。
【００６５】
カボール・ウェーブレット変換＋グラフマッチングは、顔器官上の特徴である目と目との間隔や、目と鼻の間隔などを検知することができる。よって、画像取得手段２が取得するデジタル画像において、目と目の間隔や、目と鼻の間隔などを時系列に捉えることにより、本実施形態においては、識別された人の顔のサイズを比較できると共に、大きくなる人の顔を識別することができる。
【００６６】
また、サイズが大きくなるものが接近するものであるので、サイズの大きくなる人の顔のみに注目して、距離や速度などを算出すればよい。その際には、演算などの処理などを簡便にすることができる。
【００６７】
本実施形態に係る障害物検知装置１は、高齢者や、障害者などを介助して、前方に存在する静止、歩行、あるいは走行している複数の人を回避して歩行するためのナビゲーションを可能にする。また、自律移動ロボットなどが、前方に存在する静止、歩行、あるいは走行している複数の人を回避して移動するナビゲーションを可能にする。
【００６８】
＜変形例＞
カボール・ウェーブレット変換＋グラフマッチングは、顔器官上の特徴などを捉えて検知するため、人の顔の検知および識別は可能であるが、人の頭部における顔を含まない部分を検知することは難しい。人の頭部において顔を含まない部分を検知するには、顔器官上の目、口などの特徴がないこと、髪、耳、首、および肩などの特徴的な形状を捉えることによって検知することが可能である。この検知方法を、以下第２の画像検知・画像識別手段と呼ぶ。
【００６９】
本変形例は、第１の実施形態の変形例であり、画像検知手段３ａおよび画像識別手段３ｂに第２の画像検知・画像識別手段を加えて、画像取得手段２が取得したデジタル画像から、人の頭を検知し、かつ検知した人の頭を識別するものである。
【００７０】
本変形例においても、画像取得手段２が取得するデジタル画像において、髪、耳、首、および肩などの特徴的な形状を時系列に捉えることにより、識別された人の頭のサイズを比較できると共に、大きくなる人の頭を識別することができる。
【００７１】
本変形例は、第１の実施形態における人の顔を、人の頭に変えたものであり、その他においては第１の実施形態と同様である。複数の人の後頭部を回避して移動するケースは、前方に存在する人の移動速度が遅く、障害物検知装置を保持している人が前方の人を追い越す場合などに生じる。
【００７２】
＜第２の実施形態＞
本実施形態においては、第１の実施形態と同じ発明の構成要素に対しては同じ符号を用い、詳細な説明は省略する。図４は、第２の実施形態に係る障害物検知装置の構成図である。図５は、第２の実施形態に係るスキャナーの出射範囲の分割例である。
【００７３】
本実施形態に係る障害物検知装置２０は、図４に示すように、記憶手段３、測距手段４、制御手段５、および警報手段６を有して構成される。すなわち、第１の実施形態に比較して、本実施形態においては、デジタルカメラなどからなる画像取得手段２（図１に図示）を有さないが、後述するように測距手段４が、画像取得手段２としての機能を有するものである。
【００７４】
本実施形態における測距手段４においては、スキャナー４ａ（図２に図示）の出射範囲は、図５に示すように例えば２０×２６個のコマに分割される。
【００７５】
図２に示すように、スキャナー４ａから赤外線７ｂが各コマに出射された際、コマの方位に障害物８が存在すると、障害物８によって赤外線７ｃが反射され、受信器４ｃが赤外線７ｃを受光する。図５に図示する複数の点（・）Ｃは、スキャナーから各コマの方位に赤外線が出射され、受信器が障害物から反射した赤外線を受光した各コマに打点されている。このように、本実施形態における測距手段４は、複数の点（・）Ｃで構成されるデジタル画像を取得する。そのため、本実施形態における測距手段４は、画像取得手段として機能する。
【００７６】
そして、制御手段５が、図４および図５に示すように、記憶手段３を制御して、すなわち測距手段４が取得した複数の点（・）Ｃで構成されるデジタル画像から、画像検知手段３ａを用いて複数の障害物を検知し、画像識別手段３ｂを用いて検知した複数の障害物を識別する。
【００７７】
すなわち、図５に図示するＡおよびＢのように、近傍に存在する複数の点（・）Ｃの集合体として複数の障害物の像が取得される。そして、複数の点（・）Ｃの集合体である複数の障害物の像は、時系列で形状、形状の変化、および軌跡を追跡することによって識別される。
【００７８】
本実施形態においては、障害物の像内に、複数の点（・）Ｃの数が、２０個程度になるように、コマ数が選ばれている。コマ数を増やすと、反射した赤外線が受光されたコマからなる像を、障害物の形状により近づけることができる。
【００７９】
そして、本実施形態においては、制御手段５が、距離演算手段３ｃを用いて、デジタル画像内の複数の障害物に、複数の障害物のそれぞれが重なるコマの距離を対応させる、すなわち複数の障害物のそれぞれの距離として算出する。そして、障害物が複数のコマに跨って重なる際は、障害物の距離は、例えばそれらの距離の平均値とする。
【００８０】
よって、本実施形態によれば、前方に存在する静止、または移動する複数の障害物を識別・特定して、これらの障害物を回避して運行する機械装置、ロボット、飛行体などを可能にする。
【００８１】
本実施形態においては、測距手段４は赤外線を出射して障害物８の距離を検知するとしたが、これに限定されるものではない。赤外線以外の光などの電磁波や、超音波などの音も可能である。音の場合には、出射器４ｂはスピーカーなどであり、受信器４ｃはマイクロフォンなどである。
【００８２】
本実施形態は、２次元に配置される複数の点（・）Ｃからなる像に、その像の距離を対応させて、障害物８の座標や速度などを算出する。測距手段により３次元形状の像と、その像の距離とを対応させて、障害物の座標や速度などを算出することも可能であるが、その際には処理する情報量が多くなる。よって、本実施形態によれば、３次元形状の像を用いる方法に比べて、省電力化や高速処理を可能にする。
【００８３】
よって、本実施形態は、障害物検知装置２０が携帯機器として用いられる際の省電力化の要求や、複数の障害物を敏速に回避するための要求などに対応することが可能である。
【符号の説明】
【００８４】
１、２０  障害物検知装置
２  画像取得手段
３  記憶手段
３ａ  画像検知手段
３ｂ  画像識別手段
３ｃ  距離演算手段
４  測距手段
４ａ  スキャナー
４ｂ  出射器
４ｃ  受信器
５  制御手段
６  警報手段
７、７ａ、７ｂ、７ｃ  赤外線
８、８ａ、８ｂ  障害物
【図１】
2015019689.tif 000003
【図２】
2015019689.tif 000004
【図３】
2015019689.tif 000005
【図４】
2015019689.tif 000006
【図５】
2015019689.tif 000007
【図６】
2015019689.tif 000008